(57)【要約】【課題】情報処理装置が再生可能な映像等のコンテンツをテレビやラジオといった映像信号や音を再生する家電製品でも再生可能にする情報処理装置放送システムおよびアンテナ引込み線送信機を得ること。【解決手段】第１のパソコン１０４は、無線ルータ装置１０３からインターネット上の映画等の各種のコンテンツを取得することができる。第１のパソコン１０４は、テレビ受信機１３６で再生したいコンテンツを搬送波送信装置１０８に送出する。搬送波送信装置１０８は八木アンテナ１１１やパラボラアンテナ１１２で受信していない空きチャネルの搬送周波数でこのコンテンツを変調してアンテナ線混合装置１０９で混合させる。視聴者はリモートコントローラ１３７を使用して通常のテレビ番組の他にこのコンテンツを視聴することができる。【選択図】図２
2008153971.tif 000002
【特許請求の範囲】
【請求項１】
放送局から放送番組の放送用にそれぞれ異なった搬送周波数で送信されてくる放送信号を受信する１または複数のアンテナと、
前記アンテナで受信した前記放送信号を含む信号を建物内の各所に引き込むアンテナ引込み線と、
このアンテナ引込み線に接続され、所望の搬送周波数の信号を検波して再生する放送再生手段と、
所定の情報処理装置の出力した前記放送再生手段で再生するためのコンテンツを前記放送信号のいずれにも対応しない周波数としての空きチャネルの搬送周波数で変調する変調手段と、
この変調手段の変調後のコンテンツを前記アンテナ引込み線に混合する信号混合手段
とを具備することを特徴とする情報処理装置放送システム。
【請求項２】
前記情報処理装置はパーソナルコンピュータであり、前記コンテンツは映像と音のいずれかを少なくとも再生するための信号であることを特徴とする請求項１記載の情報処理装置放送システム。
【請求項３】
前記コンテンツは、通信ネットワークから取得したものであることを特徴とする請求項１記載の情報処理装置放送システム。
【請求項４】
前記コンテンツは前記所定の情報処理装置が所定の記憶媒体から読み出したものであることを特徴とする請求項１記載の情報処理装置放送システム。
【請求項５】
前記放送再生手段は、電波を受信して前記放送番組を再生する家電製品であることを特徴とする請求項１記載の情報処理装置放送システム。
【請求項６】
前記所定の情報処理装置と前記家電製品は近距離無線の通信手段を備え、前記所定の情報処理装置は、前記家電製品の操作用のリモートコントローラの操作を受け付ける操作受付手段を具備することを特徴とする請求項５記載の情報処理装置放送システム。
【請求項７】
アンテナで受信する全放送局に割り当てられた搬送波以外の周波数としての空きチャネルを検出する空きチャネル検出手段と、
映像および音声あるいはこれらの一方からなる信号としてのコンテンツを入力するコンテンツ入力手段と、
このコンテンツ入力手段で入力した前記コンテンツを前記空きチャネルの搬送周波数で変調する変調手段と、
この変調手段で変調した変調後コンテンツを前記アンテナのアンテナ引込み線に混合させる混合手段
とを具備することを特徴とするアンテナ引込み線送信機。
【請求項８】
前記空きチャネル検出手段で検出した空きチャネルと前記コンテンツ入力手段で入力したコンテンツの識別情報を対応付けて表示するメニュー画面を作成するメニュー画面作成手段と、
このメニュー画面作成手段で作成したメニュー画面を前記コンテンツ入力手段で入力したコンテンツ以外のコンテンツとして、前記空きチャネル検出手段で検出した空きチャネルの１つに割り当てるメニュー画面チャネル割当手段とを備え、
前記変調手段は前記コンテンツ入力手段で入力した前記コンテンツとメニュー画面のコンテンツをそれぞれ対応する搬送波で変調することを特徴とする請求項７記載のアンテナ引込み線送信機。
【発明の詳細な説明】
【技術分野】
【０００１】
本発明は、アンテナ引込み線を使用した情報処理装置放送システムおよびアンテナ引込み線送信機に係わり、特にアンテナに接続したアンテナ引込み線を有効活用する情報処理装置放送システムおよびアンテナ引込み線送信機に関する。
【背景技術】
【０００２】
近年、各種の通信と放送の融合が加速している。また、テレビジョンやラジオ放送のデジタル化に伴って、パーソナルコンピュータと家電製品の融合が加速している。たとえば、従来、テレビジョン（以下、テレビと略称する。）録画専用機でテレビ番組を録画していたものが、パーソナルコンピュータ（以下、パソコンと略称する。）に内蔵されたテレビ録画機能や外付けされたテレビ録画装置を使用して、パソコン内のハードディスクに録画して再生することが日常的に行われるようになっている。更にデジタルオーディオプレイヤの普及によって、音楽をパソコンで気軽に聴くこともできるようになっている。
【０００３】
同様に、インターネット上には無料の動画を配信するサイトやテレビ番組やラジオ番組あるいは特別に作成された動画番組を配信するサイトも出現している。ブロードバンド回線の普及によって、これらの配信先から取得した映像や音声をパソコンで視聴する機会も多くなっている。このように、従来では居間に備えられたテレビやオーディオ装置で映像や音を再現していたものを、個々のパソコンで気軽にこれらの視聴ができるようになってきている。これにより、既存のテレビ等の再生装置とパソコンの再生対象が重複する場合も多くなってきており、家庭内でのテレビの視聴や音楽鑑賞のスタイルに変化が生じてきている。
【０００４】
このようにパソコンは、インターネットのような独自の経路で取得した映像や音を再生すると共に、既存のテレビ等の再生装置の再生する映像や音の再生領域にも食い込んで情報の取得と再生を行う能力を備えている。しかしながら、パソコンの取得したこれら各種の情報としてのコンテンツを再生するとき、パソコンが常に優位に立つとは限らない。
【０００５】
たとえば、インターネットでネットサーフィンを行っているとき、同じパソコンから出力される音楽を同時に聴いたり、ディスプレイの片隅にスポーツの中継画面を表示してテレビ放送の概要を把握することはユーザにとって好都合である。しかしながら、パソコンで取得した独自のコンテンツを視聴するだけのために、家族全員が１台のパソコンの前に集合して特定の画像を見たり特定の音楽を聴くといったことは煩わしいだけでなく、場所が確保できない場合も多い。この点で、居間のテレビやオーディオ装置の方が視聴環境が優れる場合も多い。
【０００６】
しかしながら、従来ではこのようにパソコンで取得したコンテンツを他の家電製品で視聴しようとすると、ＣＤ（Compact Disc）やＤＶＤ（Digital Versatile Disc）といった家電製品側で受け入れることのできる記憶媒体にこれらのコンテンツを一度コピーする必要があった。そして、このコピーした記憶媒体を、家電製品に備えられたＣＤプレーヤやＤＶＤプレーヤを使用して該当する映像や音といったコンテンツを再生する必要があった。このためには、コンテンツを共通に再生可能な記憶媒体に書き込む処理時間と処理操作が必要とされた。また、家電製品側でもテレビやオーディオ装置が該当する記憶媒体から情報を読み取る装置としてＤＶＤプレーヤ等の入力装置を必要とした。したがって、これらの視聴のための条件が満足されない場合には、該当する映像や音を視聴できないか、パソコン側で不満足な視聴を行うしかないという問題があった。
【０００７】
このような問題を解決するためには、ユーザが再生を必要とするコンテンツを既存の家電製品としてのテレビやオーディオ装置で受信して再生する必要がある。
【０００８】
テレビに関しては、テレビ放送局からの電波をアンテナコンセントから受信してこの中から所望のチャネルの番組を増幅し、空きチャネルに無線で送信する提案が行われている（たとえば特許文献１参照）。この提案によれば、アンテナコンセントにフィーダを接続して放送を受信することのできない環境の場所、たとえば浴室に持ち込まれたテレビがその付属アンテナで放送を良好に受信することができないような場合であっても、増幅された電波が付属アンテナに受信される。したがって、アンテナコンセントにフィーダを接続しない状態でも所望のチャネルの番組の受信を良好に行うことができるようになる。
【特許文献１】特開２００１−２３０７１６号公報（第００１４段落、図１）
【発明の開示】
【発明が解決しようとする課題】
【０００９】
しかしながら、この提案ではテレビがその付属のアンテナを用いて映像信号や音を再生できる対象はテレビ放送局から送られてくる本来のテレビ番組となっている。すなわち、パソコンが取得した映像等のコンテンツをテレビに送信して映像信号や音を再生するといったことはできない。
【００１０】
以上、パソコンが取得した映像等のコンテンツについてその問題を説明したが、一般に各種のコンテンツを扱うことのできる情報処理装置に共通した問題である。
【００１１】
そこで本発明の目的は、情報処理装置が再生可能な映像等のコンテンツをテレビやラジオといった映像信号や音を再生する家電製品でも再生可能にする情報処理装置放送システムおよびアンテナ引込み線送信機を提供することにある。
【課題を解決するための手段】
【００１２】
請求項１記載の発明では、（イ）放送局から放送番組の放送用にそれぞれ異なった搬送周波数で送信されてくる放送信号を受信する１または複数のアンテナと、（ロ）アンテナで受信した放送信号を含む信号を建物内の各所に引き込むアンテナ引込み線と、（ハ）このアンテナ引込み線に接続され、所望の搬送周波数の信号を検波して再生する放送再生手段と、（ニ）所定の情報処理装置の出力し放送再生手段で再生するためのコンテンツを放送信号のいずれにも対応しない周波数としての空きチャネルの搬送周波数で変調する変調手段と、（ホ）この変調手段の変調後のコンテンツをアンテナ引込み線に混合する信号混合手段とを情報処理装置放送システムに具備させる。
【００１３】
すなわち本発明では、１または複数の受信する放送信号の各搬送周波数のいずれにも該当しない搬送周波数で情報処理装置の出力するコンテンツを変調して、アンテナに接続されたアンテナ引込み線に混合するようにしている。したがって、アンテナ引込み線に接続された通常のテレビ受信機といった家電製品で情報処理装置の出力した映像や音を楽しむことができる。
【００１４】
請求項７記載の発明では、（イ）アンテナで受信する全放送局に割り当てられた搬送波以外の周波数としての空きチャネルを検出する空きチャネル検出手段と、（ロ）映像および音声あるいはこれらの一方からなる信号としてのコンテンツを入力するコンテンツ入力手段と、（ハ）このコンテンツ入力手段で入力したコンテンツを空きチャネルの搬送周波数で変調する変調手段と、（ニ）この変調手段で変調した変調後コンテンツをアンテナのアンテナ引込み線に混合させる混合手段とをアンテナ引込み線送信機に具備させる。
【００１５】
すなわち本発明では、アンテナ引込み線に情報処理装置のコンテンツを出力するアンテナ引込み線送信機に関するものである。アンテナ引込み線送信機は、アンテナで受信する全放送局に割り当てられた搬送波以外の周波数としての空きチャネルを検出する空きチャネル検出手段を備えており、検出した空きチャネルに該当する搬送周波数で情報処理装置のコンテンツを変調してアンテナ引込み線に送り込むようにしている。したがって、既存の放送を受信できる家電製品が空きチャネルを用いてコンテンツを視聴することができる。
【００１６】
情報処理装置は複数のコンテンツを並列して出力するようなものであってもよい。また、空きチャネルにどのようなコンテンツが放送されるかを視聴者側が知らない場合もある。このような場合には、空きチャネルとそれぞれのコンテンツを対応付けたメニュー画面を作成して、これも１つのコンテンツとしてアンテナ引込み線に重畳することが有効である。視聴者はメニュー画面のチャネルを覚えておくことで、情報処理装置から出力されるコンテンツの内容やどのチャネルに該当するかを容易に判別できるからである。
【発明の効果】
【００１７】
以上説明したように本発明によれば、建物に必ずといっていいほど配置されているアンテナ引込み線を用いて、しかも通常の家電製品を使用して映像や音を出力することができるので、経済的なシステムを構築することができる。しかも、大画面化したテレビや高音質化したオーディオ製品を使用することで、コンテンツを高品質に再現することができる。したがって、情報処理装置の小型化の要求と各種コンテンツの高品質化の要求を簡単に両立させることができる。
【発明を実施するための最良の形態】
【００１８】
以下実施例につき本発明を詳細に説明する。
【実施例１】
【００１９】
図１は、本発明の一実施例におけるある家屋内で適用される情報処理装置放送システムを表わしたものである。この情報処理装置放送システム１００を採用した家屋１０１には、たとえばモデム１０２が無線ルータ装置１０３に接続されており、これを介して外部のインターネットに接続されるようになっている。無線ルータ装置１０３は、その家屋１０１内の第１のパソコン１０４や第２のパソコン１０５と無線で通信を行うことができる。これにより、第１および第２のパソコン１０４、１０５はインターネットに接続して必要な情報をダウンロードしたり、アップロードすることができる。
【００２０】
第１のパソコン１０４は家屋１０１に固定的に配置されており、その図示しない外部出力端子に接続された接続ケーブル１０７は搬送波送信装置１０８を介してアンテナ線混合装置１０９に接続されている。第２のパソコン１０５は、この家屋１０１内のユーザが個人的に使用する装置である。第２のパソコン１０５は、情報処理装置放送システム１００の構成上、必ずしも必要としない。ただし、第２のパソコン１０５が存在すれば、その内部に蓄積されている画像情報や動画を第１のパソコン１０４を経由する形でアンテナ線混合装置１０９に送出し、配信の対象のコンテンツとして活用することができる。
【００２１】
アンテナ線混合装置１０９は、この家屋１０１内の映像や音といったコンテンツの全般を既存のアンテナ引込み線としての同軸ケーブル（たとえば５ＣＦＶ）１１０で各部屋に配信する装置である。このアンテナ線混合装置１０９は、複数系統のコンテンツを入力するようになっている。１番目の入力系統は、屋外に設置した八木アンテナ１１１から得られるアナログテレビ放送の受信信号であり、２番目の入力系統はパラボラアンテナ１１２から得られるデジタルテレビ放送の受信信号である。本実施例では３番目の入力系統として第１のパソコン１０４から得られるコンテンツ信号を入力することができるようになっている。この他に、この家屋１０１にＣＡＴＶ（Community Antenna TeleVision）のケーブルがアンテナ線混合装置１０９に接続されていてもよく、この場合にはこれを４番目の入力系統とする。
【００２２】
アンテナ線混合装置１０９に接続された同軸ケーブル１１０は、家屋１０１の各部屋に張り巡らされている。アンテナ線混合装置１０９は既存のテレビ放送およびＦＭ（Frequency Modulation）放送については、同軸ケーブル１１０に、これら既存の放送の受信信号をそのまま流している。そして、放送用に使用されているこれらのチャネル（周波数帯域）以外の空きチャネルに、第１のパソコン１０４から出力されるコンテンツ信号を重畳して送信するようにしている。本実施例では第１のパソコン１０４から同軸ケーブル１１０に流すこれらの信号を総称してパソコン放送用信号と称することにする。
【００２３】
したがって、たとえば第１のパソコン１０４や第１のパソコン１０４が配置された第１の部屋１２１の隣に位置する第２の部屋１２２では、アナログテレビ受信機１３１がパソコン放送用信号として第１のパソコン１０４が取得した動画サイトの映画を放映することができる。また、第３の部屋１２３では、アナログテレビ受信機１３２に本来のテレビ放送以外の放送として、第１のパソコン１０４が取得したインターネット上の趣味の講座の画像や音を出力することができる。また、第４の部屋１２４ではデジタルテレビ受信機１３３に、パラボラアンテナ１１２で受信したデジタルテレビ放送を出力したり、第１のパソコン１０４にセットされたＤＶＤソフト等のデジタルコンテンツを出力して楽しむことができる。また、第５の部屋１２５では、アナログテレビ受信機１３４に本来のテレビ放送以外の放送として、第１のパソコン１０４が無料の動画サイトで取得したアニメーションを再生することができる。更に、第６の部屋１２６では第１のパソコン１０４が取得したＭＰ３（Moving Picture Experts Group-1 Audio Layer 3）のデジタルオーディオをＦＭステレオデジタル受信機１３５で楽しむことができる。
【００２４】
このように本実施例では、一般の家屋１０１の各部屋１２１〜１２６に張り巡らされているテレビ受信用の同軸ケーブル１１０を用いて、しかも既存のアナログテレビ受信機１３１、１３２、１３４、デジタルテレビ受信機１３３あるいはＦＭステレオデジタル受信機１３５といった家電製品をそのまま使用して、第１のパソコン１０４が取得した各種のコンテンツデータを再生させることができる。
【００２５】
図２は、本実施例のアンテナ線混合装置の入出力関係を原理的に表わしたものである。この実施例の情報処理装置放送システム１００で、第１のパソコン１０４は無線ルータ装置１０３を介してインターネットに接続されている。第１のパソコン１０４はインターネット上の動画サイトから動画をダウンロードしたり、リアルタイムで受信することができる。また、音楽やニュースのサイトから音情報を同様にダウンロードしたりリアルタイムで受信することができる。また、内蔵の図示しないＤＶＤ（Digital Versatile Disc）ドライブを用いてＤＶＤに記録された映画等の動画や音楽等の音情報を再生することができる。
【００２６】
再生の対象となるコンテンツは、図示しないＵＳＢ（Universal Serial Bus）接続された光ディスク等の図示しない外部記憶装置に記録された動画や音情報であってもよい。また、図１に示した第２のパソコン１０５と無線あるいはＬＡＮケーブル等の図示しない通信ケーブルを介して取得した同様の情報であってもよい。第１のパソコン１０４は、このような情報を前記した接続ケーブル１０７によって搬送波送信装置１０８に送信するようになっている。
【００２７】
図３は、搬送波送信装置の構成の概要を表わしたものである。搬送波送信装置１０８は、制御部１４１を備えている。制御部１４１には、図示しないがＣＰＵ（Central Processing Unit）と、このＣＰＵが実行するプログラムを格納した記憶媒体が配置されている。制御部１４１は、装置内の各部と接続されており、これらの制御を行う。このうち空きチャネル検出部１４２は、図１に示したアンテナ線混合装置１０９との接続線１１４から得られる各放送の搬送波を基にして図１に示した同軸ケーブル１１０を搬送されない周波数帯域としての空き周波数帯を判別し、これを基にして図１に示した第１のパソコン１０４の利用可能な空きチャネルを検出する。検出する空きチャネルの数は、第１のパソコン１０４が同時に送出することのできるコンテンツデータのコンテンツ数を満足する数となる。
【００２８】
コンテンツデータ入力部１４３は接続ケーブル１０７に接続されており、図１に示した第１のパソコン１０４からコンテンツデータを受信するようになっている。第１のパソコン１０４はコンテンツデータを１種類（１コンテンツ）出力するものでもよいが、本実施例では特別のアプリケーションプログラムを用いて、ユーザの選択する複数のコンテンツを時分割でコンテンツデータとして出力するようになっている。
【００２９】
コンテンツ別チャネル割当部１４４は、受信したコンテンツデータが複数のコンテンツで構成されている場合には、これらをコンテンツ別に抽出する。そして、それぞれ内蔵のバッファメモリに受信内容を格納する。メニュー画面作成部１４５は、空きチャネルの１つに割り当てられ、ユーザが第１のパソコン１０４から複数のコンテンツを並行して送出する場合には、それぞれのチャネルの番号とコンテンツの識別情報としてのタイトルを表示する。更に、コンテンツ別に見出し画像としてのサムネイルやユーザが第１のパソコン１０４内に作成しておいた注記を識別情報として表示するようにしてもよい。
【００３０】
図４は、本実施例におけるチャネルの番号とコンテンツのタイトルの関係を表わしたものである。本実施例では、図３に示した空きチャネル検出部１４２の検出結果から第２チャネル、第５チャネル、第７チャネル、第３６チャネル、第３８チャネルおよび第７２チャネルの合計６チャネルを第１のパソコン１０４の利用できるチャネルとして選択している。このうちの第２チャネルは、各チャネルの割り当てを示すメニュー画面を表示するチャネルとなっている。
【００３１】
第５チャネルは第１のパソコン１０４が動画サイトからダウンロードした映画「ＡＢＣ」を再生するチャネルとなっている。第７チャネルは、インターネットの趣味の講座のサイトからダウンロードした内容が出力されるチャネルとなっている。第３６チャネルはインターネットの無料動画サイトでダウンロードしておいたアニメーション「ＤＥＦ」を再生するチャネルとなっている。第３８チャネルは、インターネットの特定の音楽サイトからリアルタイムで受信している音楽放送（ＦＭ放送）を再生するチャネルとなっている。
【００３２】
図３に示したチャネル別放送出力部１４６は、各コンテンツを前記したバッファメモリから順次取り出して、それぞれに割り当てられたチャネルの搬送波で変調する。そして接続線１１４を介してアンテナ線混合装置１０９へそれぞれのコンテンツを表わしたコンテンツ信号として送出することになる。
【００３３】
図２に戻って説明する。アンテナ線混合装置１０９は、八木アンテナ１１１から得られるアナログテレビ放送の受信信号と、パラボラアンテナ１１２から得られるデジタルテレビ放送の受信信号と、第１のパソコン１０４から得られるコンテンツ信号をそれぞれ異なった搬送周波数で同軸ケーブル１１０に出力することになる。
【００３４】
たとえばアナログとデジタルの双方を受信することのできるテレビ受信機１３６が、アンテナ引込み線としての同軸ケーブル１１０に接続されているとする。すると、視聴者は赤外線等の無線で操作するリモートコントローラ１３７を使用して、本来のテレビ番組を選択する場合と同様の操作でコンテンツ信号を受信し、第１のパソコン１０４の出力する各種コンテンツを楽しむことができる。第１のパソコン１０４がどのようなコンテンツを出力しているか分からない場合や、どのチャネルでどのコンテンツが出力されているかが分からない場合には、予め設定しておいたメニュー画面表示用のチャネルである第２チャネルを選択して、メニュー画面を表示させ、その後、希望するチャネルを選択すればよい。
【００３５】
図５は、第１のパソコン側でコンテンツを放送する場合のコンテンツの指定処理の概要を表わしたものである。図１と共に説明する。ユーザは第１のパソコン１０４を起動してコンテンツ放送のためのアプリケーションプログラムを起動し、放送指定モードに設定する（ステップＳ２０１：Ｙ）。そして、放送するコンテンツを１つと、その放送の際の出力機器を指定する（ステップＳ２０２）。たとえば、あるサイトからダウンロードした映画を放送したい場合には、その映画を格納したメモリ領域を指定して、受信対象のテレビがアナログテレビ受信機であるかデジタルテレビ受信機であるかを指定する。デジタルオーディオで放送する場合には、その旨の指定を行う。
【００３６】
放送出力機器の指定により、アプリケーションプログラムは、コンテンツを第１のパソコン１０４から搬送波送信装置１０８に送信する際の単位時間当たりの必要な信号量から、コンテンツ別に時分割で送出するパケット信号の送出比率を定めることができる。たとえば、デジタルオーディオで放送するコンテンツのパケット信号の送出比率は、デジタルテレビ受信機に送出するコンテンツのパケット信号の送出比率よりも低くすることができる。搬送波送信装置１０８は前記したようにバッファメモリにこれらを一時的に格納した後に該当する周波数の搬送波で変調して、それぞれのコンテンツを同軸ケーブル１１０に重畳して出力することになる。
【００３７】
ステップＳ２０２の指定が行われたら、続いて該当するコンテンツの放送時間の選択が行われる（ステップＳ２０３）。ユーザは放送を即時にスタートさせる指定を行うこともできるし、開始時間を指定してその時間にスタートさせることもできる。次に、該当するコンテンツの放送の際のチャネル指定が行われる（ステップＳ２０４）。チャネル指定の処理では、具体的にチャネルを指定することもできるし、搬送波送信装置１０８に一任する指定も可能である。
【００３８】
前者の具体的なチャネル指定の場合には、たとえばＦＭステレオデジタル受信機１３５が固定的にチャネルを選択しておく場合のように、プリセットされたチャネルを選択するだけで、常にインターネットで取得したデジタルオーディオを楽しむことができるという利点がある。ただし、この場合には既存の放送が行われているチャネルを指定しないように空きチャネルを事前に慎重に確認しておく必要がある。
【００３９】
チャネル指定を一任した場合、搬送波送信装置１０８は放送する出力機器との関係で空きチャネルをその都度選択する。この場合には、視聴者はメニュー画面を見ることでチャネルをコンテンツと対比させて選択することができる。
【００４０】
ステップＳ２０４までの処理で１つのコンテンツに関する指定処理が終了する。他のコンテンツについての同様の指定が行われる場合には（ステップＳ２０５：Ｎ）、ステップＳ２０２に処理が進む。他のコンテンツについての指定が行われない場合には（ステップＳ２０５：Ｙ）、放送のためのコンテンツの指定処理が終了する（エンド）。なお、一度指定したコンテンツの放送時間を変更したり、放送中のコンテンツの放送を中止する処理は、それぞれのモードを選択して、コンテンツの一覧から該当するコンテンツを指定して行う。これについての具体的な処理の説明は省略する。
【００４１】
以上説明した実施例の情報処理装置放送システム１００では、アナログテレビ受信機１３１のような家電製品としての各出力機器は、メニュー画面を表示できる装置の場合にはこれを表示して、所望のコンテンツを選択し、第１のパソコン１０４から送られてくる放送を視聴することができる。また、ＦＭステレオデジタル受信機１３５のようにメニュー画面を表示する機能を備えていない場合には、予め通知されたチャネルを選択することで、第１のパソコン１０４から送られてくる放送を楽しむことができる。
【００４２】
＜発明の第１の変形例＞
【００４３】
図６は、本発明の第１の変形例における情報処理装置放送システムの要部を表わしたものである。図６で図２と同一部分には同一の符号を付しており、これらの説明を適宜省略する。第１の変形例の情報処理装置放送システム１００Ａで第１のパソコン１０４Ａは、無線ルータ装置１０３を介してインターネットに接続されると共に、同じく赤外線等の無線でアンテナ線混合装置１０９Ａとも接続されている。アンテナ線混合装置１０９Ａは、したがって、図３に示した実施例の搬送波送信装置１０８としての機能と、無線の通信機能を追加した構成となっている。ただし、第１の変形例のアンテナ線混合装置１０９Ａは１チャネルのコンテンツのみに対応している。
【００４４】
なお、第１のパソコン１０４は必ずしも無線ルータ装置１０３を介してインターネットに接続される必要はない。無線機能を備えていないルータやハブ（共に図示せず）とＬＡＮ（Local Area Network）等の通信ケーブルで接続されていてもよい。後に説明する他の変形例についても同様である。
【００４５】
この第１の変形例の情報処理装置放送システム１００Ａでも、同軸ケーブル１１０には本来の放送以外に第１のパソコン１０４Ａの出力した１種類のテレビ用コンテンツの放送が含まれている。したがって、テレビ受信機１３６がこの同軸ケーブル１１０に接続されているとすると、視聴者は赤外線等の無線で操作するリモートコントローラ１３７を使用して、第１のパソコン１０４の出力する各種コンテンツを楽しむことができる。
【００４６】
＜発明の第２の変形例＞
【００４７】
図７は、本発明の第２の変形例における情報処理装置放送システムの要部を表わしたものである。図７で図２と同一部分には同一の符号を付しており、これらの説明を適宜省略する。第２の変形例の情報処理装置放送システム１００Ｂで第１のパソコン１０４Ｂは、無線ルータ装置１０３を介してインターネットに接続されると共に、搬送波送信装置１０８Ｂに接続ケーブル１０７で接続されている。搬送波送信装置１０８Ｂは１チャネルの音声に関するコンテンツのみに対応している。
【００４８】
この第２の変形例の情報処理装置放送システム１００Ｂで、同軸ケーブル１１０には本来の放送以外に第１のパソコン１０４Ａの出力した１種類のデジタルオーディオ用コンテンツの放送が含まれている。したがって、ＦＭステレオデジタル受信機１３５がこの同軸ケーブル１１０に接続されているとすると、視聴者は赤外線等の無線で操作するリモートコントローラ１３７Ｂを使用して、第１のパソコン１０４の出力するコンテンツを聞くことができる。これにより、図１に示した第６の部屋１２６のようにパソコンが備えられていない部屋でもデジタルオーディオコンテンツを楽しむことができる。
【００４９】
＜発明の第３の変形例＞
【００５０】
図８は、本発明の第３の変形例における情報処理装置放送システムの要部を表わしたものである。図８で図２と同一部分には同一の符号を付しており、これらの説明を適宜省略する。この第３の変形例では、第１のパソコン１０４Ｃに増設ビデオボード１６１が取り付けられており、ｍ本の接続ケーブル１０７Ｃ（ただしｍは２以上の整数）がそれぞれ異なったコンテンツを搬送波送信装置１０８Ｃに送出することができるようになっている。
【００５１】
第１のパソコン１０４Ｃはｍ通りのコンテンツの映像データを時分割処理で増設ビデオボード１６１に送出する。したがって、搬送波送信装置１０８Ｃは、ｍ個の空きチャネルの搬送波を混合してアンテナ線混合装置１０９Ｃに同時に送信することになる。アンテナ線混合装置１０９Ｃは、搬送波送信装置１０８Ｃから受信した信号を、八木アンテナ１１１やパラボラアンテナ１１２から得られるテレビ放送の受信出力に重畳し、アンテナ引込み線としての同軸ケーブル１１０に送出する。したがって、同軸ケーブル１１０に接続されたテレビ受信機１３６で、ｍ通りのコンテンツの映像データを同時に分割画面で表示したり、あるいはその中の特定のものを選択して視聴することが可能になる。
【００５２】
なお、以上説明した実施例ではパソコンでインターネットに接続する場合を説明したが、インターネットに接続できる情報処理装置であればこれに限定されない。たとえばＰＤＡ（Personal Digital Assistant）や携帯電話機あるいはＰＨＳ（Personal Handy-phone System）であってもよい。
【００５３】
また、実施例ではネットワークとしてインターネットに接続したが、たとえば情報処理装置が携帯電話機の場合には携帯電話網に接続して、これから得られるコンテンツを家電製品に出力することも可能である。また、ＬＡＮやＷＡＮ（Wide Area Network）上に存在するコンテンツを家電製品に出力することも同様に可能である。
【００５４】
更に実施例および変形例では、アナログテレビ放送を八木アンテナ１１１で、デジタルテレビ放送をパラボラアンテナ１１２で受信するようにしたが、アンテナの種類は特に限定するものではなく、各種のものを使用できる。また、アンテナ引込み線として同軸ケーブル１１０を使用したが、平行フィーダ線等の他の導線を一部または全部使用するものであってもよいことは当然である。
【００５５】
また、実施例および変形例ではリモートコントローラ１３７をテレビ受信機１３６の操作用として使用したが、テレビ受信機１３６と第１のパソコン１０４の双方を操作できるようにしてもよい。この場合には、たとえば初期的に第１のパソコン１０４のディスプレイに表示された画面を搬送波で変調してテレビ受信機１３６に表示するようにし、これを見ながらユーザが第１のパソコン１０４をリモートコントローラ１３７で操作して、テレビ受信機１３６に送出するコンテンツの選択を行うようにすることになる。
【図面の簡単な説明】
【００５６】
【図１】本発明の一実施例におけるある家屋内で適用される情報処理装置放送システムを表わしたシステム構成図である。
【図２】本実施例のアンテナ線混合装置の入出力関係を示した原理図である。
【図３】搬送波送信装置の構成の概要を表わしたブロック図である。
【図４】本実施例におけるチャネルの番号とコンテンツのタイトルの関係を示した説明図である。
【図５】第１のパソコン側でコンテンツを放送する場合のコンテンツの指定処理の概要を表わした流れ図である。
【図６】本発明の第１の変形例の情報処理装置放送システムの要部を表わした原理図である。
【図７】本発明の第２の変形例の情報処理装置放送システムの要部を表わした原理図である。
【図８】本発明の第３の変形例の情報処理装置放送システムの要部を表わした原理図である。
【符号の説明】
【００５７】
１００、１００Ａ、１００Ｂ、１００Ｃ  情報処理装置放送システム
１０１  家屋
１０３  無線ルータ装置
１０４、１０４Ａ、１０４Ｂ  第１のパソコン
１０８、１０８Ｂ、１０８Ｃ  搬送波送信装置
１０９、１０９Ａ、１０９Ｂ、１０９Ｃ  アンテナ線混合装置
１１０  同軸ケーブル
１１１  八木アンテナ
１１２  パラボラアンテナ
１３１、１３２、１３４  アナログテレビ受信機
１３３  デジタルテレビ受信機
１３５  ＦＭステレオデジタル受信機
１３６  テレビ受信機
１３７  リモートコントローラ
１４２  空きチャネル検出部
１４４  コンテンツ別チャネル割当部
１４５  メニュー画面作成部
１４６  チャネル別放送出力部
【図１】
2008153971.tif 000003
【図２】
2008153971.tif 000004
【図３】
2008153971.tif 000005
【図４】
2008153971.tif 000006
【図５】
2008153971.tif 000007
【図６】
2008153971.tif 000008
【図７】
2008153971.tif 000009
【図８】
2008153971.tif 000010